(57)【要約】【課題】移動体からの信号を精度良く受信でき、かつ、ごく狭い場所や曲げが加わる場所への敷設に好適な交差ケーブルを提供する。【解決手段】収納部材１４は、２本の溝５が互いに所定距離を隔てて平行に配置されてなる平行部用溝６及び２本の溝５が互いに交差して配置されてなる交差部用溝７が長手方向に対して交互に連接して形成されている第一収納部材８と、第一収納部材８に形成された２本の溝５を閉塞させるように第一収納部材８に対向して配置された第二収納部材９とからなり、平行部３及び交差部４は、平行部用溝６及び交差部用溝７の内部に各々収納されている。【選択図】図１
2010218737.tif 000002
【特許請求の範囲】
【請求項１】
２本の絶縁心線が互いに所定距離を隔てて平行に配置されている平行部及び上記２本の絶縁心線が互いに交差して配置されている交差部を絶縁心線の長手方向に対して交互に有する交差ケーブル本体と、
上記交差ケーブル本体の周囲に設けられて上記平行部及び上記交差部を収納する収納部材とを備えた交差ケーブルにおいて、
上記収納部材は、２本の溝が互いに所定距離を隔てて平行に配置されてなる平行部用溝及び上記２本の溝が互いに交差して配置されてなる交差部用溝が長手方向に対して交互に連接して形成されている第一収納部材と、
上記第一収納部材に形成された上記２本の溝を閉塞させるように上記第一収納部材に対向して配置された第二収納部材とからなり、
上記平行部及び上記交差部は、上記平行部用溝及び上記交差部用溝の内部に各々収納されていることを特徴とする交差ケーブル。
【請求項２】
上記平行部用溝は、上記２本の溝の深さが互いに同じであることを特徴とする請求項１記載の交差ケーブル。
【請求項３】
上記交差部用溝は、上記平行部用溝における溝の深さより溝が深いことを特徴とする請求項１又は２記載の交差ケーブル。
【請求項４】
上記第一収納部材は、上記第二収納部材の厚さよりも薄いことを特徴とする請求項１〜３いずれか記載の交差ケーブル。
【請求項５】
上記第一収納部材は、上記平行部用溝における上記２本の溝の離間間隔が８〜２５ｍｍであり、上記平行部用溝の長手方向の長さが１００〜５００ｍｍであり、上記交差部用溝の長手方向の配置ピッチが２００〜１０００ｍｍであることを特徴とする請求項１〜４いずれか記載の交差ケーブル。
【請求項６】
上記第一収納部材は、厚さが２５〜１００μｍであり、上記第二収納部材は、厚さが１５０〜５００μｍであることを特徴とする請求項１〜５いずれか記載の交差ケーブル。
【発明の詳細な説明】
【技術分野】
【０００１】
本発明は、交差ピッチのバラツキがなく、信号を精度よく受信でき、ごく狭い場所や曲げが加わる場所への布設に好適な交差ケーブルに関する。
【背景技術】
【０００２】
オートメーション工場や立体倉庫等の設備内においては、キャリア等の移動体によって物品を運搬することが一般に行われている。このような移動体には、ループアンテナが搭載されており、このループアンテナによって、移動体の移動位置等を確認するための信号が送信される。一方、移動体の移動空間には、通常、ループアンテナからの信号を受信するためのものとして、移動体から所定距離離れる位置に移動ルートに沿わせた交差ケーブルが敷設される。そして、移動体のループアンテナと交差ケーブルとの間で非接触伝送により信号が送受信されることで、移動体の移動位置等の確認が行われる。
【０００３】
図３に示されるように、従来の交差ケーブル１０１は、２本の絶縁心線１０２を有し、これら２本の絶縁心線１０２が互いに所定距離を隔てて平行である平行部１０３と上記２本の絶縁心線１０２が交差した交差部１０５とを長手方向に交互に有する。従来の交差ケーブルでは、交差部１０５と次の交差部１０５との距離である交差ピッチを一定にするために、２本の絶縁心線１０２が交差する交差点１０４を含む交差部１０５を粘着テープ等の固定部材１０６で固定する。
【０００４】
また、固定部材１０６に替えて、交差ケーブルの全長にわたり２本の絶縁心線１０２の周囲を充実に被覆して交差部１０５を固定する被覆層を設けた交差ケーブルもある。
【先行技術文献】
【特許文献】
【０００５】
【特許文献１】特開昭５３−１４０９１５号公報
【特許文献２】特開平１０−２０９９２６号公報
【特許文献３】特開平１０−２０９９２８号公報
【発明の概要】
【発明が解決しようとする課題】
【０００６】
上記設備において、省スペース化のために、ごく狭い場所や交差ケーブルに曲げが加わる場所に交差ケーブルが引き通されて敷設されることがある。このとき図３の交差ケーブル１０１は、引き通される際に、固定部材１０６が何かに引っ掛かるなどして剥がれ、交差部１０５を固定する力が低下することがある。交差部１０５を固定する力が低下すると、移動体と交差ケーブル１０１との間で非接触伝送を行う場合において、移動体のループアンテナから受信した信号のゼロレベルが乱れてしまうため、移動体の移動位置を正確に知ることができなくなる。すなわち、移動体からの信号が精度よく受信できなくなる。
【０００７】
一方、交差ケーブルの全長にわたり２本の絶縁心線の周囲を充実に被覆する被覆層を設けた交差ケーブルでは、交差部を固定する力の低下は防止できるものの、可撓性が低下するおそれがあるため、この交差ケーブルを狭い場所に曲げて敷設するとき、作業性が悪い。
【０００８】
そこで、本発明の目的は、上記課題を解決し、移動体からの信号を精度よく受信でき、かつ、ごく狭い場所や曲げが加わる場所への敷設に好適な交差ケーブルを提供することにある。
【課題を解決するための手段】
【０００９】
上記目的を達成するために本発明は、２本の絶縁心線が互いに所定距離を隔てて平行に配置されている平行部及び上記２本の絶縁心線が互いに交差して配置されている交差部を絶縁心線の長手方向に対して交互に有する交差ケーブル本体と、上記交差ケーブル本体の周囲に設けられて上記平行部及び上記交差部を収納する収納部材とを備えた交差ケーブルであって、上記収納部材は、２本の溝が互いに所定距離を隔てて平行に配置されてなる平行部用溝及び上記２本の溝が互いに交差して配置されてなる交差部用溝が長手方向に対して交互に連接して形成されている第一収納部材と、上記第一収納部材に形成された上記２本の溝を閉塞させるように上記第一収納部材に対向して配置された第二収納部材とからなり、上記平行部及び上記交差部は、上記平行部用溝及び上記交差部用溝の内部に各々収納されているものである。
【００１０】
上記平行部用溝は、上記２本の溝の深さが互いに同じであってもよい。
【００１１】
上記交差部用溝は、上記平行部用溝における溝の深さより溝が深くてもよい。
【００１２】
上記第一収納部材は、上記第二収納部材の厚さよりも薄くてもよい。
【００１３】
上記第一収納部材は、上記平行部用溝における上記２本の溝の離間間隔が８〜２５ｍｍであり、上記平行部用溝の長手方向の長さが１００〜５００ｍｍであり、上記交差部用溝の長手方向の配置ピッチが２００〜１０００ｍｍであってもよい。
【００１４】
上記第一収納部材は、厚さが２５〜１００μｍであり、上記第二収納部材は、厚さが１５０〜５００μｍであってもよい。
【発明の効果】
【００１５】
本発明によれば、移動体からの信号を精度良く受信でき、かつ、ごく狭い場所や曲げが加わる場所への敷設に好適な交差ケーブルを提供することができる。
【図面の簡単な説明】
【００１６】
【図１】本発明の一実施形態を示す交差ケーブルの図であり、（ａ）は交差ケーブルの平面図、（ｂ）は絶縁心線の断面図、（ｃ）はＡ−Ａ及びＢ−Ｂ断面図である。
【図２】（ａ）、（ｂ）は、２本の絶縁心線の組み方が異なる２種の交差ケーブルの側面図である。
【図３】従来の交差ケーブルの平面図である。
【発明を実施するための形態】
【００１７】
以下、本発明の一実施形態を添付図面に基づいて詳述する。
【００１８】
図１（ａ）〜図１（ｃ）に示されるように、本発明に係る交差ケーブル１は、２本の絶縁心線２が互いに所定距離を隔てて平行に配置されている平行部３及び上記２本の絶縁心線２が互いに交差して配置されている交差部４を絶縁心線の長手方向に対して交互に有する交差ケーブル本体１３と、交差ケーブル本体１３の周囲に設けられて平行部３及び交差部４を収納する収納部材１４とを備えた交差ケーブル１において、収納部材１４は、２本の溝５が互いに所定距離を隔てて平行に配置されてなる平行部用溝６及び２本の溝５が互いに交差して配置されてなる交差部用溝７が長手方向に対して交互に連接して形成されている第一収納部材８と、第一収納部材８に形成された２本の溝５を閉塞させるように第一収納部材８に対向して配置された第二収納部材９とからなり、平行部３及び交差部４は、平行部用溝６及び交差部用溝７の内部に各々収納されているものである。
【００１９】
第一収納部材８は、図１（ｃ）に示されるように、所定の厚さを有する部材の内部に交差ケーブル本体１３を埋め込むように配置させる、すなわち交差ケーブル本体１３を収納するための溝５が形成されている。この溝５は、交差ケーブル本体１３の平行部３を埋め込むように配置させるための平行部用溝６と、交差ケーブル本体１３の交差部４を埋め込むように配置させるための交差部用溝７とが、溝５の長手方向に対して交互に連接して設けられるように形成されている。なお、この溝５の形状は、例えば、Ｕ字状、Ｖ字状などがあげられる。
【００２０】
第二収納部材９は、その長手方向に対して全体が平坦な部材からなり、第一収納部材８の溝５が形成されている部分を除く平坦部分に面で接するとともに、溝５の開口部を覆うように第一収納部材８に対向配置される。
【００２１】
絶縁心線２は、図１（ｂ）に示されるように、銅などからなる導体１０の周囲を絶縁体１１にて絶縁被覆したものである。
【００２２】
交差部４は、２本の絶縁心線２同士が交差している交差部分を指す。同様に交差部用溝７は、２本の溝５同士が交差している溝を指す。交差部４における交差点の交差ケーブル本体１３の長手方向に対する配置ピッチ（交差ピッチ）Ｌｐは、交差部用溝７の溝５の長手方向に対する配置ピッチと等しい。また、平行部３の交差ケーブル本体１３の長手方向に対する長さＬｈは、平行部用溝６の溝５の長手方向に対する長さと等しい。
【００２３】
第一収納部材８は、平行部用溝６における２本の溝５の離間間隔が８〜２５ｍｍである。このとき、平行部用溝６に配置される平行部３における２本の絶縁心線２の離間間隔は、８〜２５ｍｍとなる。また、平行部用溝６の長手方向の長さは、１００〜５００ｍｍであり、これに収納される平行部３の長手方向の長さＬｈも同様に、１００〜５００ｍｍとなる。交差部用溝７の長手方向の配置ピッチは、２００〜１０００ｍｍである。このとき、交差部用溝７に収納される交差部４における交差点間の距離である配置ピッチ（交差ピッチ）Ｌｐは、同様に２００〜１０００ｍｍとなる。
【００２４】
ここで、交差ケーブル１の製造手順を説明すると、まず、第一収納部材８の２本の溝５内に２本の絶縁心線２を収納して配置する。その後、第一収納部材８の２本の溝５を閉塞させるように第一収納部材８に対向して第二収納部材９を配置する。第一収納部材８と第二収納部材９とを密着させて固定することにより、交差ケーブル１が形成される。
【００２５】
第一収納部材８と第二収納部材９とを固定する方法としては、圧接、融着、あるいは第二収納部材９の表面に図示していない接着層を設けて、この接着層と第一収納部材８とを接着するなどの方法があるが、これらに限定されるものではない。
【００２６】
なお、第一収納部材８及び第二収納部材９は、ゴム系材料、ポリエチレンテレフタレート（ＰＥＴ）などのプラスチック系材料を用いることができる。
【００２７】
第一収納部材８は、平行部用溝６において２本の溝５の深さが同じ深さを有する。平行部３となる２本の絶縁心線２は、平行部用溝６において各溝５の同じ深さ位置に収納され、平行部３の形状を保持される。これにより、平行部３となる２本の絶縁心線２は、同一平面上に並ぶ。また、第一収納部材８は、交差部用溝７における溝５の深さが平行部用溝６における溝５の深さよりも深い。交差部４となる２本の絶縁心線２は、交差部用溝７において、溝５の深さ方向に互いに隣接するようにして溝５内に収納され、交差部４の形状が保持される。
【００２８】
第一収納部材８の厚さは、第二固定部材９の厚さよりも薄い。第一固定部材８は、２５〜１００μｍの厚さを有する。第二固定部材９は、１５０〜５００μｍの厚さを有する。
【００２９】
次に、交差ケーブル本体における２本の絶縁心線の組み方について説明する。
【００３０】
図２（ａ）に示されるように、交差ケーブル本体１１１は、２本の絶縁心線１１２ａ，１１２ｂが互いに所定距離を隔てて平行に配置された平行部１１３及び２本の絶縁心線１１２ａ，１１２ｂが交差して配置された交差部１１４を長手方向に交互に有する。
【００３１】
図２（ａ）に示した交差ケーブル本体１１１では、長手方向に順に数えてｍ番目（ｍは自然数）の交差部１１４ｍにおいて、ハッチングで示した第１絶縁心線１１２ａが無ハッチングで示した第２絶縁心線１１２ｂより手前（表側）に位置し、第２絶縁心線１１２ｂは第１絶縁心線１１２ａの向こう（裏側）に隠れて位置する。ｍ＋１番目の交差部１１４ｍ＋１では、第２絶縁心線１１２ｂが手前に表れ、第１絶縁心線１１２ａは向こうに隠れる。ｍ＋２番目の交差部１１４ｍ＋２では、第１絶縁心線１１２ａが手前に表れ、第２絶縁心線１１２ｂが向こうに隠れる。
【００３２】
このように、交差ケーブル本体１１１では、第１絶縁心線１１２ａと第２絶縁心線１１２ｂとが交差部１１４の１個ごとに交互に重なり位置を反転する交差方法が採用されている。
【００３３】
図２（ｂ）に示されるように、交差ケーブル本体１２１は、２本の絶縁心線１２２ａ，１２２ｂが互いに所定距離を隔てて平行に配置された平行部１２３及び２本の絶縁心線１２２ａ，１２２ｂが交差して配置された交差部１２４を長手方向に交互に有する。
【００３４】
図２（ｂ）に示した交差ケーブル本体１２１では、長手方向に順に数えてｍ番目（ｍは自然数）の交差部１２４ｍにおいて、ハッチングで示した第１絶縁心線１２２ａが無ハッチングで示した第２絶縁心線１２２ｂより手前（表側）に位置し、第２絶縁心線１２２ｂは第１絶縁心線１２２ａの向こう（裏側）に隠れて位置する。ｍ＋１番目の交差部１２４ｍ＋１においても、第１絶縁心線１２２ａが第２絶縁心線１２２ｂより手前に位置する。ｍ＋２番目の交差部１２４ｍ＋２において、第２絶縁心線１２２ｂが手前に表れ、第１絶縁心線１２２ａは向こうに隠れる。ｍ＋３番目の交差部１２４ｍ＋３においても、第２絶縁心線１２２ｂが手前に位置する。ｍ＋４番目の交差部１２４ｍ＋４では、第１絶縁心線１２２ａが手前に表れ、第２絶縁心線１２２ｂは向こうに隠れる。
【００３５】
交差ケーブル本体１２１では、第１絶縁心線１２２ａが連続した２個の交差部１２４で表側に位置し、その次の連続した２個の交差部１２４で裏側に位置する。第１絶縁心線１２２ａが表側に位置する連続した２個の交差部１２４を第１交差部群とし、逆に、第２絶縁心線１２２ｂが表側に位置する連続した２個の交差部１２４を第２交差部群とすると、第１交差部群と第２交差部群が長手方向に交互に存在することになる。このように、交差ケーブル本体１２１では、第１絶縁心線１２２ａと第２絶縁心線１２２ｂとが交差部１２４の２個ごとに交互に重なり位置を反転する交差方法が採用されている。
【００３６】
以下、本発明の交差ケーブル１の作用効果を説明する。
【００３７】
本発明の交差ケーブル１は、２本の絶縁心線２が第一収納部材８の２本の溝５内に収納されている。第一収納部材８は、平行部用溝６と交差部用溝７とが長手方向に対して交互に連接するように形成されており、この平行部用溝６と交差部用溝７に交差ケーブル本体１３の平行部３と交差部４とが長手方向に交互に収納して配置される。つまり、２本の絶縁心線２を２本の溝５内に収納するだけで、絶縁心線２を所望の交差ピッチで配置できる。
【００３８】
したがって、本発明の交差ケーブル１は、絶縁心線２の交差ピッチＬｐが交差部用溝７の長手方向の配置ピッチによって決定され、常に一定に保持されるため、第一収納部材８及び第二収納部材９に曲げ応力が加わって絶縁心線２に曲げ応力が加わった場合でも、交差部用溝７の配置ピッチによって交差ピッチＬｐは維持される。これと同時に、第一収納部材８と第二収納部材９によって交差ケーブル本体１３の交差部４が保持されていることから、交差ピッチＬｐにばらつきが生じることが防止され、従来のように交差ピッチが乱れて移動体の位置を正確に知ることができなくなることがない。すなわち、本発明の交差ケーブル１は、ごく狭い場所や曲げが加わる場所へ布設された場合でも、移動体からの信号が精度よく受信できる。
【００３９】
本発明の交差ケーブル１は、絶縁心線２が第一収納部材８の溝５内に収納されており、この溝５を閉塞するように第二収納部材９が第一収納部材８に対向して配置されているので、絶縁心線２が正しく平行部３と交差部４を形成しているかどうか目視により確認することができるとともに、平行部３、交差部４が長手方向のどの位置に配置されているかを、交差ケーブルの外観を目視しただけで確認することができる。
【００４０】
本発明の交差ケーブル１は、平行部用溝６における２本の溝５の深さが互いに同じであるため、平行部３における２本の絶縁心線２が同一平面上に並ぶ。これにより、２本の絶縁心線２から移動体（図示せず）までの距離が常に一定に保たれ、移動体からの信号が精度よく受信できる。
【００４１】
本発明の交差ケーブル１は、交差部用溝７における溝５の深さは、平行部用溝６における溝５の深さより深い。このように、２本の溝５が交差してなる交差部用溝７では、溝５が深い溝となっているため、２本の絶縁心線２が互いに交差して配置されたとしても、長手方向にわたり平坦（平滑）な表面を有する第二収納部材９で閉塞することができる。したがって、本発明の交差ケーブル１は、ごく狭い場所や曲げが加わる場所に布設する際に、第二収納部材９の平坦な表面を移動体に対向又はその反対向きにさせて配置することで、絶縁心線２から移動体（図示せず）までの距離が常に一定に保持させて布設することができる。
【００４２】
本発明の交差ケーブル１は、第一収納部材８が２５〜１００μｍの厚さを有し、第二収納部材９が１５０〜５００μｍの厚さを有する。第一収納部材８の厚さが２５μｍ未満、第二収納部材９の厚さが１５０μｍ未満であると、曲げに耐え得る強度、あるいは引き通される際に必要な摩耗性など機械的特性が不十分になるおそれがある。また、第一収納部材８の厚さが１００μｍ超、第二収納部材９の厚さが５００μｍ超であると、可撓性が低下してしまうおそれがある。
【００４３】
本発明の交差ケーブル１は、第一収納部材８の平行部用溝６における２本の溝５の離間間隔が８〜２５ｍｍであり、平行部用溝５の長手方向の長さが１００〜５００ｍｍであり、交差部用溝７の長手方向の配置ピッチが２００〜１０００ｍｍである。これにより、平行部３における２本の絶縁心線の離間間隔が８〜２５ｍｍとなり、平行部３の長手方向の長さが１００〜５００ｍｍとなり、交差部４の長手方向の配置ピッチ（交差部４における交差点間の距離）が２００〜１０００ｍｍとなる。このような構成を備えることにより、非接触伝送を行うときの使用周波数が１００ＭＨｚ以下の帯域である場合において、外部からの電磁波（ノイズ）を効果的に遮断することができるため、移動体からの信号を精度よく受信できる。
【００４４】
以上、本発明の交差ケーブル１によれば、交差ケーブル本体１３の周囲に設けられて平行部３及び交差部４を収納して平行部３及び交差部４を含む交差ケーブル本体１３の形状を保持する収納部材１４を備えるので、２本の絶縁心線２間の距離が不均一になることがなく、交差ピッチＬｐを常に一定に保持しながら２本の絶縁心線２間の距離も一定に保持することができる。
【符号の説明】
【００４５】
１  交差ケーブル
２  絶縁心線
３  平行部
４  交差部
５  溝
６  平行部用溝
７  交差部用溝
８  第一収納部材
９  第二収納部材
１３  交差ケーブル本体
【図１】
2010218737.tif 000003
【図２】
2010218737.tif 000004
【図３】
2010218737.tif 000005